(57)【要約】【課題】ノイズを効果的に防止しつつ、小型化を図りかつ設計の自由度を確保する。【解決手段】フレキシブル基板２０は、可撓性を有する絶縁基板２１とアクチュエータ駆動信号用配線部３０とを備えている。アクチュエータ駆動信号用配線部３０は、絶縁基板２１の厚さ方向の一方の面２１０２に形成された第１導電パターン３２と、絶縁基板２１の厚さ方向の他方の面２１０４に形成された第２導電パターン３４とで構成されている。各アクチュエータ駆動信号Ｓ１、Ｓ２、Ｓ３は、パルス幅変調方式に基づいて生成され互いに位相が反転する正信号と負信号によって構成され、正信号および負信号の一方が第１導電パターン３２に伝達され、かつ、アクチュエータ駆動信号を構成する正信号および負信号の他方が第２導電パターン３４に伝達される。【選択図】        図５
2006059402.tif 000002
【特許請求の範囲】
【請求項１】
光源からの光ビームを光ディスクに導く対物レンズをその光軸方向および前記光軸方向と直交する方向に動かすアクチュエータを有する光ピックアップと、前記光ピックアップに接続されたフレキシブル基板とを備え、
前記アクチュエータは、パルス幅変調方式に基づいて生成され互いに位相が反転する正信号と負信号によって構成されるアクチュエータ駆動信号に基づいて駆動され、
前記アクチュエータ駆動信号が前記フレキシブル基板により前記アクチュエータに伝達される光ディスク装置であって、
前記フレキシブル基板は、可撓性を有する絶縁基板と、前記アクチュエータ駆動信号を前記アクチュエータに伝達するアクチュエータ駆動信号用配線部とを備え、
前記アクチュエータ駆動信号用配線部は、前記絶縁基板の厚さ方向の一方の面に形成された第１導電パターンと、前記絶縁基板の厚さ方向の他方の面に形成された第２導電パターンとで構成され、
前記アクチュエータ駆動信号を構成する正信号および負信号の一方が前記第１導電パターンに伝達され、かつ、前記アクチュエータ駆動信号を構成する正信号および負信号の他方が前記第２導電パターンに伝達される、
ことを特徴とする光ディスク装置。
【請求項２】
前記第１導電パターンと第２導電パターンとは前記絶縁基板の厚さ方向から見てそれらの輪郭がほぼ合致するように形成されていることを特徴とする請求項１記載の光ディスク装置。
【請求項３】
前記フレキシブル基板は長さを有し、前記アクチュエータ駆動信号用配線部は、前記長さに沿った前記フレキシブル基板の一部の領域において、前記絶縁基板の厚さ方向の一方の面に形成された第１導電パターンと前記絶縁基板の厚さ方向の他方の面に形成された第２導電パターンとで構成されていることを特徴とする請求項１記載の光ディスク装置。
【請求項４】
前記光ピックアップは前記光ディスクで前記光ビームが反射された反射光ビームを前記対物レンズを介して受光し受光信号を出力する受光信号生成手段を有し、前記フレキシブル基板は、前記受光信号伝達用の受光信号用配線部を備えていることを特徴とする請求項１記載の光ディスク装置。
【請求項５】
前記光ピックアップは前記光源から出射される前記光ビームの光量を検出しパワーモニタ信号を出力する光量検出手段を有し、前記フレキシブル基板は、前記パワーモニタ信号伝達用のパワーモニタ信号用配線部を備えていることを特徴とする請求項１記載の光ディスク装置。
【請求項６】
前記アクチュエータは、前記対物レンズをその光軸方向に動かすフォーカス用アクチュエータと、前記対物レンズを前記光軸方向と直交する方向に動かすトラッキング用アクチュエータとを備え、前記アクチュエータ駆動信号用配線部は、前記フォーカス用アクチュエータと前記トラッキング用アクチュエータに接続されていることを特徴とする請求項１記載の光ディスク装置。
【請求項７】
前記アクチュエータは、前記対物レンズをその光軸方向に動かすフォーカス用アクチュエータと、前記対物レンズを前記光軸方向と直交する方向に動かすトラッキング用アクチュエータと、前記対物レンズをその光軸が傾く方向に動かすチルト用アクチュエータを有し、前記アクチュエータ駆動信号用配線部は、前記フォーカス用アクチュエータと前記トラッキング用アクチュエータと前記チルト用アクチュエータに接続されていることを特徴とする請求項１記載の光ディスク装置。
【発明の詳細な説明】
【技術分野】
【０００１】
本発明は、光ディスクに信号の記録および／または再生を行う光ディスク装置に関する。
【背景技術】
【０００２】
ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスクに対して光ビームを照射して信号の記録あるいは再生あるいは記録および再生を行う光ピックアップがある。
このような光ピックアップでは、光ビームを光ディスクに導く対物レンズをフォーカスアクチュエータやトラッキングアクチュエータによって動かすことによって、光ディスクのトラックに追従させて適切な形状の光スポットを形成している。
多くの場合、これらアクチュエータにアクチュエータ駆動信号を供給する配線部材としてフレキシブル基板が用いられている（例えば特許文献１参照）。
【特許文献１】特開２００３−３１７２９２号公報
【発明の開示】
【発明が解決しようとする課題】
【０００３】
従来のアクチュエータは、アクチュエータ駆動信号として、図４（Ｃ）、（Ｄ）に示すように振幅を可変するものが用いられており、いわゆるリニア駆動方式で駆動されていた。
ところが、近年、アクチュエータ駆動信号の電流の削減を図るために、図４（Ａ）、（Ｂ）に示すように、パルス幅変調方式（ＰＷＭ方式）で変調したアクチュエータ駆動信号を用いる構成が提案されている。
このようなＰＷＭ方式のアクチュエータ駆動信号は、図からわかるように高周波成分（例えば数ｋＨｚ〜数百ｋＨｚ）を含んでいるため、フレキシブル基板において、このアクチュエータ駆動信号用の導電パターンからノイズが発生し、このノイズが隣接する他の信号用の導電パターンに侵入し他の信号に悪影響を与えることが懸念されている。
また、光ピックアップの小型化を図るためにフレキシブル基板の大きさや導電パターンの配置が制限されてきている。
したがって、前記ノイズの影響を如何に防止し、フレキシブル基板を如何に小型化し設計の自由度を如何に確保するかが重要となっている。
本発明はこのような事情に鑑みなされたもので、その目的はノイズを効果的に防止しつつ、小型化を図りかつ設計の自由度を確保する上で有利な光ディスク装置を提供することにある。
【課題を解決するための手段】
【０００４】
上記目的を達成するために本発明の光ディスク装置は、光源からの光ビームを光ディスクに導く対物レンズをその光軸方向および前記光軸方向と直交する方向に動かすアクチュエータを有する光ピックアップと、前記光ピックアップに接続されたフレキシブル基板とを備え、前記アクチュエータは、パルス幅変調方式に基づいて生成され互いに位相が反転する正信号と負信号によって構成されるアクチュエータ駆動信号に基づいて駆動され、前記アクチュエータ駆動信号が前記フレキシブル基板により前記アクチュエータに伝達される光ディスク装置であって、前記フレキシブル基板は、可撓性を有する絶縁基板と、前記アクチュエータ駆動信号を前記アクチュエータに伝達するアクチュエータ駆動信号用配線部とを備え、前記アクチュエータ駆動信号用配線部は、前記絶縁基板の厚さ方向の一方の面に形成された第１導電パターンと、前記絶縁基板の厚さ方向の他方の面に形成された第２導電パターンとで構成され、前記アクチュエータ駆動信号を構成する正信号および負信号の一方が前記第１導電パターンに伝達され、かつ、前記アクチュエータ駆動信号を構成する正信号および負信号の他方が前記第２導電パターンに伝達されることを特徴とする。
【発明の効果】
【０００５】
本発明によれば、アクチュエータ駆動信号用配線部の第１導電パターンで発生する磁界と、第２導電パターンで発生する磁界とがほぼ重なり合うことでこれら２つの磁界がお互いに打ち消し合いことからアクチュエータ駆動信号によるノイズの発生が効果的に抑制される。
アクチュエータ駆動信号用配線部がフレキシブル基板上に占有する面積を削減することができるので、フレキシブル基板を小型化できコストを削減する上で有利となる。
また、フレキシブル基板を小型化する代わりに、前記削減した分の面積を利用して、アクチュエータ駆動信号用配線部以外の配線部を自由にレイアウトすることができ設計の自由度を確保する上で有利となる。
【発明を実施するための最良の形態】
【０００６】
本発明は、ノイズを効果的に防止しつつ、小型化を図りかつ設計の自由度を確保するという目的を、アクチュエータ駆動信号用配線部を、絶縁基板の厚さ方向の一方の面に形成された第１導電パターンと、絶縁基板の厚さ方向の他方の面に形成された第２導電パターンとで構成することで実現した。
【実施例１】
【０００７】
以下、本発明による光ディスク装置の実施の形態を図面に基づいて詳細に説明する。
図１は本発明の実施例１における光ディスク装置１０１の構成を示すブロック図である。
図２は光ピックアップ１０４の構成を示す斜視図、図３は光ピックアップ１０４の平面図である。
図４はアクチュエータ駆動信号の説明図であり、（Ａ）はＰＷＭ方式によるアクチュエータ駆動信号の正信号を示す図、（Ｂ）はＰＷＭ方式によるアクチュエータ駆動信号の負信号を示す図、（Ｃ）はリニア駆動によるアクチュエータ駆動信号の正信号を示す図、（Ｄ）はリニア駆動によるアクチュエータ駆動信号の負信号を示す図である。
図５は実施例１の光ピックアップにおけるフレキシブル基板２０の構成を示す説明図、図６は図５のフレキシブル基板２０で発生する磁界の説明図である。
図７は実施例１におけるアクチュエータに関わる回路図である。
図８は実施例１におけるアクチュエータの周波数特性を示す図である。
図９は実施例１におけるフレキシブル基板２０の一例を示す平面図である。
【０００８】
図１において、光ディスク装置１０１は、ＣＤ−ＲやＤＶＤ±Ｒ、ＤＶＤ−ＲＡＭ、Ｂｌｕ−ｒａｙディスクなどの光記録媒体としての光ディスク１０２を回転駆動する駆動手段としてのスピンドルモータ１０３と、光ピックアップ１０４と、光ピックアップ１０４をその半径方向に移動させる駆動手段としての送りモータ１０５とを備えている。ここで、スピンドルモータ１０３は、システムコントローラ１０７及びサーボ制御部１０９により所定の回転数で駆動制御される構成になっている。
【０００９】
信号変復調部及びＥＣＣブロック１０８は、信号処理部１２０から出力される信号の変調、復調及びＥＣＣ（エラー訂正符号）の付加を行う。
光ピックアップ１０４は、光ビームを出射するレーザ光源（不図示）と、このレーザ光を光ディスク１０２に導く対物レンズ２（図２、図３）を備え、システムコントローラ１０７及びサーボ制御部１０９からの指令に従って回転する光ディスク１０２の信号記録面に対して前記レーザ光源から出射された光ビームを対物レンズ２を介して照射する。このような光照射により光ディスク１０２に対する光信号の記録、再生が行われる。
光ピックアップ１０４の前記レーザ光源には、後述するフレキシブル基板２０を介してレーザ制御部１２１からのレーザ駆動信号ＬＳが供給されるように構成されている。
光ピックアップ１０４は、光ディスク１０２の信号記録面からの反射光ビームを対物レンズ２を介して受光し後述する複数の受光信号ＳＳを生成する受光信号生成手段（不図示）を有し、この受光信号生成手段は、各受光信号ＳＳをフレキシブル基板２０を介して信号処理部１２０に供給するように構成されている。
なお、前記受光信号生成手段の構成は任意であり、受光信号生成手段が、反射光ビームを検出するフォトディテクタ、フォトディテクタからの検出電流を電圧信号に変換するＩ／Ｖ変換回路（増幅回路）、Ｉ／Ｖ変換回路から出力された電圧信号を演算して出力する演算回路を備え、前記演算処理後の電圧信号を受光信号ＳＳとして出力し、その受光信号ＳＳがフレキシブル基板２０で伝達されるように構成されていてもよい。あるいは、受光信号生成手段がフォトディテクタとＩ／Ｖ変換回路を備え、演算回路が信号処理部１２０に設けられており、受光信号生成手段から出力された演算処理前の受光信号ＳＳがフレキシブル基板２０によって伝達されるように構成されていてもよい。
光ピックアップ１０４は、前記光源から出射される光ビームの光量を検出してパワーモニタ信号を生成する光量検出手段（不図示）を有し、このパワーモニタ信号ＰＳをフレキシブル基板２０を介して信号処理部１２０に供給するように構成されている。
【００１０】
前記信号処理部１２０は、各受光信号ＳＳに基づいてサーボ制御用信号、すなわち、フォーカスエラー信号、トラッキングエラー信号、ＲＦ信号、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００１１】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝達される。
光ピックアップ１０４には送りモータ１０５が接続され、送りモータ１０５の回転によって光ピックアップ１０４が光ディスク１０２上の所定の記録トラックまで移動されるように構成されている。スピンドルモータ１０３の制御と、送りモータ１０５の制御とは、それぞれサーボ制御部１０９により行われる。
レーザ制御部１２１は、信号処理部１２０を介して供給されるパワーモニタ信号ＰＳに基づいてレーザ駆動信号ＬＳの制御を行う。
【００１２】
図２に示すように、フォーカシング方向Ｚとは光ピックアップ１０４の対物レンズ２の光軸方向をいい、トラッキング方向Ｘとはフォーカシング方向Ｚと直交する方向（光ディスク１０１の半径方向）をいい、タンジェンシャル方向Ｙとはフォーカシング方向Ｚおよびトラッキング方向Ｘの双方と直交する方向（光ディスク１０１の円周の接線方向）をいう。
光ピックアップ１０４は、光ディスク１０１上の適正な位置に適正な形状の光スポットを形成するように対物レンズ２を微調節するためのアクチュエータを有し、本実施例では、前記アクチュエータは、対物レンズ２をフォーカシング方向Ｚに動かすフォーカスアクチュエータ（不図示）と、対物レンズ２をトラッキング方向Ｘに動かすトラッキングアクチュエータ（不図示）と、対物レンズ２をタンジェンシャル方向Ｙに延在する軸心回りのチルト方向θに動かす（対物レンズ２をその光軸が傾く方向に動かす）チルトアクチュエータ（不図示）とを有している。
サーボ制御部１０９は、フォーカスアクチュエータ駆動信号Ｓ１、トラッキングアクチュエータ駆動信号Ｓ２、チルトアクチュエータ駆動信号Ｓ３を生成し、これら各駆動信号Ｓ１、Ｓ２、Ｓ３を後述するフレキシブル基板２０を介して前記フォーカスアクチュエータ、トラッキングアクチュエータ、チルトアクチュエータに供給することによって前記各アクチュエータを制御する。
具体的に説明すると、前記各アクチュエータは、アクチュエータコイルとアクチュエータコイルに対向して設けられたマグネットを有し、アクチュエータコイルに前記アクチュエータ駆動信号Ｓ１、Ｓ２、Ｓ３が供給されることで発生する磁界と、前記マグネットの磁界との磁気相互作用によって対物レンズ２を動かすように構成されている。
また、サーボ制御部１０９は、フォーカスエラー信号およびトラッキングエラー信号に基づいてアクチュエータの制御を行い、ＲＦ信号のジッター値に基づいてチルトアクチュエータの制御を行う。
【００１３】
図１に示すように、光ディスク装置１０１のうち、システムコントローラ１０７、信号変復調器＆ＥＣＣ１０８、サーボ制御部１０９、インターフェース１１１、Ｄ／Ａ、Ａ／Ｄ変換器１１２、オーディオ・ビジュアル処理部１１３、オーディオ・ビジュアル信号入出力部１１４、信号処理部１２０、レーザ制御部１２１は、光ピックアップ１０４とは別体に設けられ光ディスク装置１０１の筐体に取着されたプリント基板１５０上に構成されており、光ピックアップ１０４とプリント基板１５０とがフレキシブル基板２０によって接続されている。
【００１４】
図２、図３に示すように、光ディスク装置１０１の筐体の内部には光ディスク１０１の半径方向と平行に設けられた２本のガイド軸６００２、６００４が取着され、これら２本のガイド軸６００２、６００４によってマウント部材６０がトラッキング方向Ｘにスライド可能に設けられている。
光ピックアップ１０４は、マウント部材６０に設けられ、送りモータ１０５の駆動力によってマウント部材６０とともにスライドされる。
光ピックアップ１０４は、前述したレーザ光源、対物レンズ２、各アクチュエータ、受光信号生成手段、光量検出手段に加えて、対物レンズ２を保持するレンズホルダ４と、前記レンズホルダ４をトラッキング方向Ｘ、フォーカシング方向Ｚ、チルト方向θに移動可能に保持する不図示の保持部材とを備え、これらレーザ光源、対物レンズ２、レンズホルダ４、各アクチュエータ、保持部材、受光信号生成手段、光量検出手段はマウント部材６０に収容保持されている。なお、前記アクチュエータコイルはレンズホルダ４に設けられ、前記マグネットはマウント部材６０に設けられている。
【００１５】
フレキシブル基板２０は長さを有し、可撓性を有する絶縁基板２１と、レーザ駆動信号ＬＳの伝達用のレーザ駆動信号用配線部２２と、受光信号ＳＳの伝達用の受光信号用配線部２４と、パワーモニタ信号ＰＳの伝達用のパワーモニタ信号用配線部２６と、各アクチュエータ信号Ｓ１、Ｓ２、Ｓ３の伝達用のアクチュエータ駆動信号用配線部３０とを備えている。
フレキシブル基板２０の長さ方向の一端は光ピックアップ１０４側にハンダ付けによって接続され、他端はプリント基板１５０に設けられた機器側コネクタ５０に着脱可能に接続されている。したがって、フレキシブル基板２０はマウント部材６０のトラッキング方向へのスライドに伴い屈曲される。
図６に示すように、レーザ駆動信号用配線部２２、受光信号用配線部２４、パワーモニタ信号用配線部２６は、絶縁基板２１の厚さ方向の一方の面（表面）２１０２あるいは他方の面（裏面）２１０４の何れか一方に形成された銅などの導電材料からなる複数の導電パターン２８によって構成されている。
一方、アクチュエータ駆動信号用配線部３０は、絶縁基板２１の全長にわたり絶縁基板２１の厚さ方向の一方の面２１０２に形成された第１導電パターン３２と、絶縁基板２１の全長にわたり絶縁基板２１の厚さ方向の他方の面２１０４に形成された第２導電パターン３４とで構成されており、これら第１、第２導電パターン３２、３４も導電パターン２８と同様の導電材料で構成されている。
第１導電パターン３２は各アクチュエータのアクチュエータコイル５０の一端に接続され、第２導電パターン３４はアクチュエータコイル５０の他端に接続される。
第１導電パターン３２と第２導電パターン３４とは絶縁基板２１の厚さ方向から見てそれらの輪郭がほぼ合致するように形成されている。
図４（Ａ）、（Ｂ）に示すように、各アクチュエータ駆動信号Ｓ１、Ｓ２、Ｓ３は、パルス幅変調方式に基づいて生成され互いに位相が反転する正信号と負信号によって構成されている。さらに詳しく説明すると、正信号と負信号とは互いに振幅の絶対値が同じで極性が逆となっている。
本実施例では、各アクチュエータ駆動信号を構成する正信号および負信号の一方が第１導電パターン３２に伝達され、かつ、アクチュエータ駆動信号を構成する正信号および負信号の他方が第２導電パターン３４に伝達されるように構成されている。
【００１６】
次に本実施例の作用効果について説明する。
上述したように、フレキシブル基板２０を伝達される各アクチュエータ駆動信号Ｓ１、Ｓ２、Ｓ３はパルス幅変調されているため、高周波成分、例えば数ｋＨｚ〜数百ｋＨｚの周波数成分を有していることからノイズを放射しやすい。
一方、これらアクチュエータ駆動信号と同じフレキシブル基板２０上を伝達されるレーザ駆動信号ＬＳ、受光信号ＳＳ、パワーモニタ信号ＰＳのうち、特に、受光信号ＳＳおよびパワーモニタ信号ＰＳは比較的微弱な電流であり、外来ノイズの影響を受けやすく、受光信号ＳＳがノイズの影響を受けると、トラッキングエラー信号やフォーカスエラー信号が影響を受けてサーボ特性が劣化してしまい、また、再生信号が影響を受けて信号品質が低下してしまうおそれがある。
しかしながら、本実施例では、アクチュエータ駆動信号用配線部３０は、絶縁基板２１の厚さ方向の一方の面２１０２に形成された第１導電パターン３２と、絶縁基板２１の厚さ方向の他方の面２１０４に形成された第２導電パターン３４とで構成され、アクチュエータ駆動信号を構成する正信号および負信号の一方が第１導電パターン３２に伝達され、かつ、アクチュエータ駆動信号を構成する正信号および負信号の他方が第２導電パターン３４に伝達されている。
したがって、図５、図６に示すように、第１導電パターン３２で発生する磁界Ｍ１と、と第２導電パターン３４で発生する磁界Ｍ２とがほぼ重なり合うことになる。そして、これら第１導電パターン３２で発生する磁界Ｍ１と、第２導電パターン３４で発生する磁界Ｍ２との向きが互いに逆であるため、磁界Ｍ１、Ｍ２が互いに打ち消し合うことになり、ほとんど磁界が発生しない状態となることから各アクチュエータ駆動信号Ｓ１、Ｓ２、Ｓ３によるノイズの発生が効果的に抑制される。
このように、各アクチュエータ駆動信号によるノイズが抑制されることから、サーボ特性の劣化や信号品質の低下を確実に防止でき光ピックアップの特性の向上を図る上で有利となる。
さらに、本実施例では、第１導電パターン３２と第２導電パターン３４とは絶縁基板２１の厚さ方向から見てそれらの輪郭がほぼ合致するように形成されているため、磁界Ｍ１、Ｍ２がより多く重なり合うことでノイズの発生を一層抑制でき光ピックアップの特性をより向上させる上で有利となる。
【００１７】
また、図７に示すように、フレキシブル基板２０のアクチュエータ駆動信号用配線部３０は、第１導電パターン３２に発生する配線インダクタンスＬ１と、第２導電パターン３４に発生する配線インダクタンスＬ２とを有している。
前述したようにアクチュエータ駆動信号がパルス幅変調である場合には、高周波成分、例えば数ｋＨｚ〜数百ｋＨｚの周波数成分を有しているため、これらの配線インダクタンスの影響を受けやすい。
しかしながら、本実施例では、アクチュエータ駆動信号用配線部３０が前述したように絶縁基板２１の厚さ方向の一方の面２１０２に形成された第１導電パターン３２と、絶縁基板２１の厚さ方向の他方の面２１０４に形成された第２導電パターン３４とで構成され、アクチュエータ駆動信号を構成する正信号および負信号の一方が第１導電パターン３２に伝達され、かつ、アクチュエータ駆動信号を構成する正信号および負信号の他方が第２導電パターン３４に伝達されていることから、配線インダクタンスＬ１、Ｌ２を低減することができる。
このように配線インダクタンスが低減すると、図８のアクチュエータの利得の周波数特性に示すように、高周波帯域における理想特性に対する利得の低下が抑制され、高周波帯域におけるアクチュエータの感度を確保する上で有利となり、光ディスク１０２の高速回転（高倍速化）を実現する上で有利となる。
さらに、本実施例では、第１導電パターン３２と第２導電パターン３４とは絶縁基板２１の厚さ方向から見てそれらの輪郭がほぼ合致するように形成されているため、配線インダクタンスＬ１、Ｌ２をより一層低減することができ、高周波帯域におけるアクチュエータの感度をより確保することで光ディスク１０２の高速回転を実現する上でより有利となる。
【００１８】
また、本実施例では、アクチュエータ駆動信号用配線部３０が前述したように絶縁基板２１の厚さ方向の一方の面２１０２に形成された第１導電パターン３２と、絶縁基板２１の厚さ方向の他方の面２１０４に形成された第２導電パターン３４とで構成されているので、これら２つの導電パターンの双方を絶縁基板２１の一方または他方の面に並べて設けた場合と比較して、フレキシブル基板２０上に占有する面積を削減することができる。
したがって、フレキシブル基板２０を小型化できコストを削減する上で有利となる。また、光ピックアップ１０４の小型化に伴い光ピックアップ１０４に接続されるフレキシブル基板２０も小型化が必要となるが、このような光ピックアップ１０４の小型化を実現する上でも有利となる。
また、フレキシブル基板２０の小型化を図ることで光ピックアップ１０４を収容するマウント部材６０部分に形成するフレキシブル基板２０を収容するための凹部の大きさを小さくすることができ、マウント部材６０の機械的強度を向上させる上で有利となる。
また、アクチュエータ駆動信号用配線部３０のフレキシブル基板２０上での占有面積を削減できることから、例えば、図９に示すように、前記削減した分の面積を利用して、グランド（接地）領域Ｇを、アクチュエータ駆動信号用配線部３０と受光信号用配線部２４との間、あるいは、アクチュエータ駆動信号用配線部３０とパワーモニター信号用配線部２６との間とに形成することも可能となり、このようにグランド（接地）領域Ｇを設けることでアクチュエータ駆動信号用配線部３０からのノイズが受光信号用配線部２４やパワーモニター信号用配線部２６に及ぼす影響を低減する上で有利となる。
また、フレキシブル基板２０を小型化する代わりに、前記削減した分の面積を利用して、アクチュエータ駆動信号用配線部３０を除く他のレーザ駆動信号用配線部２２、受光信号用配線部２４、パワーモニタ信号用配線部２６の配置を柔軟に設定でき、設計の自由度を確保する上で有利となる。
例えば、ノイズを受けやすい導電パターンとノイズを発生する導電パターンとを離間させることができる。あるいは、前記削除した分の面積を利用して絶縁基板２１の厚さ方向の両面を導通するスルーホールを形成することで導電パターンの配置を入れ替えることができ、各配線部を自由にレイアウトする上で有利となる。そのため、光ピックアップ１０４の接続端子に接続されるフレキシブル基板２０側の接続端子の配置を光ピックアップ１０４の接続端子の配置に合わせて設計することが容易となる。
さらに、本実施例では、第１導電パターン３２と第２導電パターン３４とは絶縁基板２１の厚さ方向から見てそれらの輪郭がほぼ合致するように形成されているため、これら２つの導電パターンがフレキシブル基板２０上に占有する面積をより一層削減できることから、上述の各効果をより一層高めることができる。
【００１９】
なお、上述の実施例のように、フレキシブル基板２０の全長にわたり、第１導電パターン３２を絶縁基板２１の厚さ方向の一方の面２１０２に形成し、第２導電パターン３４を絶縁基板２１の厚さ方向の他方の面２１０４に形成し、これら第１導電パターン３２と第２導電パターン３４によりアクチュエータ駆動信号用配線部３０を構成してもよく、あるいは、フレキシブル基板２０の長手方向の一部の領域において、第１導電パターン３２を絶縁基板２１の厚さ方向の一方の面２１０２に形成し、第２導電パターン３４を絶縁基板２１の厚さ方向の他方の面２１０４に形成し、他の残りの部分において、絶縁基板２１の厚さ方向の一方の面２１０２あるいは他方の面２１０４に第１導電パターン３２と第２導電パターン３４の双方を形成するなどは任意である。
例えば、アクチュエータ駆動信号用配線部３０が他の配線部に対するノイズの放射を抑制する必要がある領域については、絶縁基板２１の厚さ方向の一方の面２１０２に第１導電パターン３２を形成するとともに他方の面２１０４に第２導電パターン３４を形成した２層部分とし、かつ、ノイズの放射が許容される領域については、絶縁基板２１の何れか一方の面に第１導電パターン３２と第２導電パターン３４の双方を並べて形成した１層部分としてもよい。
具体的には、フレキシブル基板２０のうち屈曲されないが前記ノイズの放射を抑制したい部分については前記２層部分とし、かつ、フレキシブル基板２０のうち屈曲されるが前記ノイズの放射は許容される部分については前記１層部分として構成してもよい。このように構成すれば、前記２層部分についてはノイズ低減を図るとともにフレキシブル基板２０の小型化を図ることができ、前記１層部分についてはフレキシブル基板２０の厚さ方向の寸法を削減することによって可撓性を確保できる。
【００２０】
次に、比較例について説明する。
図１０は比較例におけるフレキシブル基板の構成を示す説明図、図１１は図１０のフレキシブル基板で発生する磁界の説明図である。図１２は比較例の光ピックアップにおけるアクチュエータの周波数特性を示す図である。図１３は比較例の光ピックアップにおけるフレキシブル基板の平面図である。なお、以下では実施例１と同様の部分および部材には同一の符号を付して説明する。
図１０に示すように、比較例のアクチュエータ駆動信号用配線部３０´では、絶縁基板２１の厚さ方向の一方の面２１０２に第１導電パターン３２と第２導電パターン３４の双方が並べて形成されている。
したがって、図１１に示すように、第１導電パターン３２で発生する磁界Ｍ１と、と第２導電パターン３４で発生する磁界Ｍ２との一部が重なるものの残りの大部分の磁界Ｍ１、Ｍ２が重ならず、磁界Ｍ１、Ｍ２がほとんど打ち消し合わないことから、各アクチュエータ駆動信号Ｓ１、Ｓ２、Ｓ３によるノイズが発生し、これらのノイズがアクチュエータ駆動信号用配線部３０´に隣接する受光信号用配線部２４やパワーモニター信号用配線部２６に影響を与えてしまう。
これに対して、本実施例では前述したように磁界Ｍ１、Ｍ２をほとんど打ち消すことによってノイズを効果的に抑制でき、この点で比較例に比べて有利である。
【００２１】
また、比較例のアクチュエータ駆動信号用配線部３０´では、絶縁基板２１の厚さ方向の一方の面２１０２に２つの第１導電パターン３２と第２導電パターン３４が並べて形成されているため、第１、第２導電パターン３２、３４の配線インダクタンスＬ１、Ｌ２の値が比較的大きな値となってしまう。
このため、アクチュエータ駆動信号がパルス幅変調である場合には、高周波成分、例えば数ｋＨｚ〜数百ｋＨｚの周波数成分を有しているため、これらの配線インダクタンスの影響を受けやすく、図１２のアクチュエータの利得の周波数特性に示すように、高周波帯域における理想特性に対する利得が大きく低下することになり、高周波帯域におけるアクチュエータの感度を確保することが難しく、光ディスク１０２の高速回転（高倍速化）を実現する上で不利となる。
これに対して、本実施例では前述したように第１、第２導電パターン３２、３４の配線インダクタンスＬ１、Ｌ２を抑制できることから、高周波帯域におけるアクチュエータの感度を確保する上で有利となり、光ディスク１０２の高速回転（高倍速化）を実現する上で有利となり、この点で比較例に比べて有利である。
【００２２】
また、図１３に示すように、比較例のアクチュエータ駆動信号用配線部３０´では、絶縁基板２１の厚さ方向の一方の面２１０２に２つの第１導電パターン３２と第２導電パターン３４が並べて形成されているため、アクチュエータ駆動信号用配線部３０´のフレキシブル基板２０上での占有面積が大きなものとなるため、フレキシブル基板２０を小型化することが難しくコスト削減を図る上で不利がある。
また、アクチュエータ駆動信号用配線部３０´と他の配線部との間にグランド（接地）領域Ｇを設けることが難しく、アクチュエータ駆動信号用配線部３０´からのノイズが受光信号用配線部２４やパワーモニター信号用配線部２６に影響を及ぼすことが避けられない。
また、フレキシブル基板２０を小型化することが難しいため、アクチュエータ駆動信号用配線部３０を除く他のレーザ駆動信号用配線部２２、受光信号用配線部２４、パワーモニタ信号用配線部２６の配置を柔軟に設定することができず、設計の自由度を確保する上で不利がある。
これに対して、本実施例では前述したようにアクチュエータ駆動信号用配線部３０がフレキシブル基板２０上に占有する面積を削減することができるので、小型化できコストを削減する上で有利となり、また、前記削減した分の面積を利用して、グランド（接地）領域Ｇを形成することでアクチュエータ駆動信号用配線部３０からのノイズが受光信号用配線部２４やパワーモニター信号用配線部２６に及ぼす影響を低減する上で有利となり、また、フレキシブル基板２０を小型化する代わりに、前記削減した分の面積を利用して、アクチュエータ駆動信号用配線部３０を除く他の配線部の配置を柔軟に設定でき、設計の自由度を確保する上で有利となり、これらの点で比較例に比べて有利である。
【図面の簡単な説明】
【００２３】
【図１】本発明の実施例１における光ディスク装置１０１の構成を示すブロック図である。
【図２】光ピックアップ１０４の構成を示す斜視図である。
【図３】光ピックアップ１０４の平面図である。
【図４】アクチュエータ駆動信号の説明図であり、（Ａ）はＰＷＭ方式によるアクチュエータ駆動信号の正信号を示す図、（Ｂ）はＰＷＭ方式によるアクチュエータ駆動信号の負信号を示す図、（Ｃ）はリニア駆動によるアクチュエータ駆動信号の正信号を示す図、（Ｄ）はリニア駆動によるアクチュエータ駆動信号の負信号を示す図である。
【図５】実施例１の光ピックアップにおけるフレキシブル基板２０の構成を示す説明図である。
【図６】図５のフレキシブル基板２０で発生する磁界の説明図である。
【図７】実施例１におけるアクチュエータに関わる回路図である。
【図８】実施例１におけるアクチュエータの周波数特性を示す図である。
【図９】実施例１におけるフレキシブル基板２０の一例を示す平面図である。
【図１０】比較例におけるフレキシブル基板の構成を示す説明図である。
【図１１】図１０のフレキシブル基板で発生する磁界の説明図である。
【図１２】比較例の光ピックアップにおけるアクチュエータの周波数特性を示す図である。
【図１３】比較例の光ピックアップにおけるフレキシブル基板の平面図である。
【符号の説明】
【００２４】
２……対物レンズ、２０……フレキシブル基板、２１……絶縁基板、３０……アクチュエータ駆動信号用配線部、３２……第１導電パターン、３４……第２導電パターン、１０１……光ディスク装置、１０２……光ディスク、１０４……光ピックアップ。
【図１】
2006059402.tif 000003
【図２】
2006059402.tif 000004
【図３】
2006059402.tif 000005
【図４】
2006059402.tif 000006
【図５】
2006059402.tif 000007
【図６】
2006059402.tif 000008
【図７】
2006059402.tif 000009
【図８】
2006059402.tif 000010
【図９】
2006059402.tif 000011
【図１０】
2006059402.tif 000012
【図１１】
2006059402.tif 000013
【図１２】
2006059402.tif 000014
【図１３】
2006059402.tif 000015